(57)【要約】【課題】  簡易な構造でかつ大きなスペースを不要として外部から作用される引張り力に対してコードを強固に保持する。【解決手段】  ケース体３に形成したコード引出し開口部１９に、内部に軸方向に貫通してコード１５を嵌挿するコード引出し孔２１を設けたコード保持部材２０を組み付ける。コード保持部材２０の先端部位に、ケース体３の内部に突出するとともに、先端面に開口するコード引出し孔２１と略直交して外周部に開口する直径方向の貫通孔からなるコード保持孔２６を設けたコード保持筒部２４を一体に形成する。【選択図】  図３
0003127825.tif 000002
【実用新案登録請求の範囲】
【請求項１】
コード引出し開口部が形成されたケース体と、
内部に軸方向に貫通するコード引出し孔が形成されて前記コード引出し開口部に組み付けられ、前記コード引出し孔に嵌挿したコードを前記ケース体の内部から外部へと引き出すコード保持部材とを備え、
前記コード引出し開口部に組み付けた状態で前記ケース体の内部に突出する前記コード保持部材の内部側部位が、先端面に開口する前記コード引出し孔と略直交する方向の外周部に貫通するコード保持孔を設けたコード保持筒部を構成し、
前記コード保持筒部において、前記コードを、前記コード保持孔に嵌挿させた後に外周部から先端面に引き回して開口部から前記コード引出し孔に嵌挿させることにより前記ケース体の内部から外部へと引き出すことを特徴とするコード引出し構造。
【請求項２】
前記コード保持部材が、一対の個別コードからなる前記コードを嵌挿させる前記コード引出し孔を形成するとともに、前記コード保持筒部に、前記各個別コードをそれぞれ個別に嵌挿させる互いに平行な一対のコード保持孔を前記コード引出し孔を挟んで直交する方向に貫通して形成したことを特徴とする請求項１記載のコード引出し構造。
【考案の詳細な説明】
【技術分野】
【０００１】
本考案は、電源コードや各種ケーブル等のコードが筐体やハウジング等のケース体から引き出される各種電子機器等に備えるコード引出し構造に関する。
【背景技術】
【０００２】
電子機器等においては、一般にケース体にコード引出し開口部を形成し、このコード引出し開口部に内部に軸方向に貫通するコード引出し孔が形成されたブッシュやグロメット等の筒状のコード保持部材を組み付け、コード引出し孔に嵌挿したコードをケース体の内部から外部へと引き出すコード引出し構造が備えられる。電子機器等においては、かかるコード引出し構造により引出し孔におけるコードへの負荷を低減して断線等の発生が防止されるようにする。
【０００３】
電子機器等においては、コードに対して外部から引張り力が負荷された場合に、この引張り力がコードの先端部と回路部等の接続部位に直接作用されて断線等が発生する虞がある。したがって、電子機器等においては、引張り力が負荷された場合でもコードを保持して回路部等の接続部に作用されないようにする適宜のコード保持構造が設けられる。
【０００４】
例えば、特許文献１には、ケース体の内部にコード引出し開口部に対向して一対の留め棒を一体に形成し、これら留め棒に絡げたコードをコード引出し開口部に組み付けたコードブッシュに嵌挿したコード保持構造が開示されている。かかるコード保持構造においては、コードに対して外部から引張り力が負荷された場合に、コードが留め棒に保持されることにより回路部等との接続部において断線等の発生が防止される。
【０００５】
また、特許文献２には、複数個の穴或いは切込みをおのおの並列に形成し例えばケース体に固定されるコード固定板を備え、これら穴或いは切込みにコードの芯線をそれぞれ順に挿通した後にブッシュを介してケース体の外部へ引き出すようにしたコード保持構造が開示されている。かかるコード保持構造においても、コードに対して外部から引張り力が負荷された場合に、コードがコード固定板に保持されることにより回路部等との接続部において断線等の発生が防止される。
【０００６】
従来のコード保持構造としては、最も簡易な構造として例えば図５に示したコード保持構造１００が汎用されている。コード保持構造１００は、ケース体１０１の上ケース１０１Ｕと下ケース１０１Ｂとの突き合わせ部位に、それぞれ相対して形成したＵ字状の開口部１０２Ｕと下ケース１０２Ｂを組み合わせて全体が円形のコード引出し開口部１０２を構成する。コード保持構造１００は、上ケース１０１Ｕと下ケース１０１Ｂで挟み込むようにしてコード引出し開口部１０２に、内部を貫通してコード引出し孔１０４が設けられた全体筒状に形成されるとともに外周部にケース体１０１を内外から挟む取付フランジ部１０５Ａ、１０５Ｂが形成されたコードブッシュ１０３を組み付ける。コード保持構造１００は、コード１０６がコード引出し孔１０４に嵌挿されることによりコードブッシュ１０３を介してケース体１０１の内部から外部へと引き出され、コードブッシュ１０３によりコード引出し開口部１０２における保護が図られる。
【０００７】
コード保持構造１００においては、ケース体１０１の内部においてコードブッシュ１０３に嵌挿されるコード１０６に、コード引出し孔１０４の内径よりも大きな外径となる結び目１０７を作る。コード保持構造１００においては、コード１０６に対して外部から引張り力が負荷された場合に、この結び目１０７がコードブッシュ１０３の端面に突き当たることで引張り力が内部に作用されないようにして回路基板との接続部等において断線等
の発生を防止する。
【特許文献１】実開昭５２−１３４６９２号公報
【特許文献２】実開昭６２−１３５４８８号公報
【考案の開示】
【考案が解決しようとする課題】
【０００８】
ところで、上述した特許文献１に開示されたコード保持構造においては、コード引出し開口部に対向してケース体の内部に留め棒を形成することからケース体の金型が複雑となりコストアップとなるといった問題があった。また、コード保持構造においては、ケース体に留め棒が形成されることによりケース体内においてコードの引き回しが制限されるとともに、コードを強固に保持するために留め棒を比較的太径に形成することによりケース体のスペース効率が低下するといった問題があった。
【０００９】
上述した特許文献２に開示されたコード保持構造においても、ケース体の内部にコード固定板の固定部を設けることからケース体の金型が複雑となりコストアップとなるといった問題があった。また、コード保持構造においては、ケース体におけるコード固定板の固定位置によりケース体内においてコードの引き回しが制限されるとともに、コード固定板によりケース体のスペース効率が低下するといった問題があった。
【００１０】
上述したコード保持構造１００においては、ケース体側に保持部を不要とすることにより金型構造の簡易化が図られるが、コード１０６に作る大きな結び目１０７がケース体のスペース効率を低下させるとともに、比較的長いコード１０６の途中に結び目１０７を作る作業が面倒であるといった問題があった。
【００１１】
電子機器等においては、ケース体のコード引出し部においてコードを強固に保持しながらさらなる軽量小型化を図ることが大きな課題となっているが、従来のコード保持構造ではかかる課題を解決することが困難であった。したがって、本考案は、簡易な構造でかつ大きなスペースを不要として外部から作用される引張り力に対してコードを強固に保持するコード引出し構造を提供することを目的に提案されたものである。
【課題を解決するための手段】
【００１２】
上述した目的を達成する本考案にかかるコード引出し構造は、コード引出し開口部が形成されたケース体と、内部に軸方向に貫通するコード引出し孔が形成されてコード引出し開口部に組み付けられてコード引出し孔に嵌挿したコードをケース体の内部から外部へと引き出すコード保持部材とを備える。コード引出し構造は、コード保持部材の内部側先端部位に、コード引出し開口部に組み付けた状態でケース体の内部に突出するとともに、先端面に開口するコード引出し孔と略直交するようにして外周部に開口する直径方向の貫通孔からなるコード保持孔を設けたコード保持筒部が一体に形成される。
【００１３】
コード引出し構造においては、コード保持部材をコード引出し開口部に組み付けた状態でケース体の内部に突出するコード保持筒部により、コードを、コード保持孔に貫通させた後に外周部から先端面に引き回わしてコード引出し孔に嵌挿する略十字状の経路を以ってケース体の内部から外部へと引き出すようにする。したがって、コード引出し構造においては、コードに作用される外部からの引張り力に対して、コード保持孔内でコードを保持して移動されないようにする。コード引出し構造においては、コード保持部材のコード保持筒部によりコードに作用される引張り力がコードと回路基板等の接続部に作用されないようにすることで断線等の発生が防止される。
【００１４】
コード引出し構造は、コード保持部材に、一対の個別コードからなるコードを嵌挿させ
るコード引出し孔が形成されるとともに、コード保持筒部に、各個別コードをそれぞれ嵌挿させる一対のコード保持孔がコード引出し孔を挟んで直交する方向に貫通して形成される。コード引出し構造においては、コード保持筒部により、各個別コードをそれぞれコード保持孔に貫通させた後に外周部から先端面に引き回わして一括してコード引出し孔に嵌挿する。コード引出し構造においては、コード引出し孔を挟んだ両側にコード保持孔を形成したことにより、コード保持筒部の大径化が抑制される。
【考案の効果】
【００１５】
以上のように構成された本考案にかかるコード引出し構造によれば、ケース体に形成したコード引出し開口部に組み付けるコード保持部材にコードを略十字状の経路で引き回して保持するコード保持孔を有するコード保持筒部を一体に形成したことから、ケース体から引き出すコードをスペース効率を図って確実に保持することが可能であり機器の小型化が図られるようにする。コード引出し構造によれば、ケース体側の形状変更を要しないことでコストアップが抑制されるとともに、ケース体内においてコードを自由に引き回すことが可能であり組立作業等の効率化が図られるようにする。
【考案を実施するための最良の形態】
【００１６】
以下、本考案の実施の形態として示すコード引出し構造１を備えるＡＣ（Alternating Current）アダプタ２について図面を参照して詳細に説明する。ＡＣアダプタ２は、周知のように変圧機能や整流機能或いは安定化電源機能等を有する回路部を内蔵し、商用電源の交流電力を所定電圧の直流電力に変換して電子機器等に供給する。なお、本考案は、かかるＡＣアダプタ２に限定されず、詳細を後述する構成を備えて各種の電子機器等に実施することが可能である。
【００１７】
ＡＣアダプタ２は、図１に示すように、上ハーフ４と下ハーフ５とを組み合わせて矩形箱状のケース体３が構成される。ＡＣアダプタ２は、ケース体３の内部に詳細を省略するが変圧機能や整流機能或いは安定化電源機能等を奏する回路ユニット６を収納する。ＡＣアダプタ２は、ケース体３の長手方向の第１側面３Ａに形成したインレット組付開口部７にジャック９を設けたＡＣインレット８を組み付けるとともに、相対する第２側面部３Ｂに詳細を後述するコード引出し構造１が設けられる。
【００１８】
ＡＣアダプタ２は、ＡＣインレット８のジャック９に電源コードユニット１０の出力プラグ１１が着脱されるとともに、この電源コードユニット１０の入力プラグ１２が商用電源コンセント１３に接続されることにより交流電力が供給される。ＡＣアダプタ２は、ＡＣインレット８がケース体３の内部において回路ユニット６と接続され、この回路ユニット６により供給された交流電力を所定電圧の直流電力に変換する。
【００１９】
ＡＣアダプタ２は、回路ユニット６にＤＣコードユニット１４の一端側を接続するとともに、詳細を後述するようにコード引出し構造１によりコード１５を保持してＤＣコードユニット１４の他端側をケース体３の内部から外部へと引き出す。ＡＣアダプタ２は、ＤＣコードユニット１４のコード１５の先端に取り付けた電源コネクタ１６を図示しない電子機器等に接続することにより、電子機器等に対して所定電圧の直流電力を供給する。なお、ＡＣアダプタ２は、ＤＣコードユニット１４のコード１５が、中央部において被覆を軸方向に破断することにより、図２及び図３に示すように一対の個別コード１５Ａ、１５Ｂに分離することが可能である。
【００２０】
ＡＣインレット８は、詳細を省略するが合成樹脂材により矩形箱状に形成された略密閉型ケースを備えており、このケースのジャック９を設けたジャック配置面を外方に臨ませてケース体３の長手方向の第１側面３Ａに組み付けられる。ＡＣインレット８は、図示を省略するがケースのジャック配置面との対向側面に複数の接続端子を設け、これら接続端
子を介して回路ユニット６との接続が行われる。なお、ＡＣインレット８は、ジャック９を設けた仕様のものばかりでなく、例えば商用電源のコンセント１３に直接差し込むプラグを突出して設けた仕様或いはプラグ付きケーブルが引き出される仕様のものであってもよいことは勿論である。
【００２１】
ＡＣアダプタ２は、上ハーフ４と下ハーフ５が合成樹脂材により相対する底面部と天井部を開放した矩形箱状に形成され、これら上ハーフ４と下ハーフ５の相対する下端縁部４Ａと上端縁部５Ａを全域に亘って突き合わせて組み合わすことによりケース体３を構成する。なお、ケース体は、上ハーフと下ハーフが上述した突き合わせ構造に限定されないことは勿論であり、例えば下端縁部と上端縁部とに、互いに重ね合わせ状態で突き合わされる凸縁部を形成した構造等であってもよい。また、ケース体は、底面部或いは天井部を開放した箱状のケース本体と、このケース本体の開放部位を閉塞して組み合わされる蓋体とにより構成してもよい。
【００２２】
ケース体３は、図２及び図３に示すように上ハーフ４の下端縁部４Ａに半円形のコード引出し開口半体部１７を切り欠き形成するとともに、このコード引出し開口半体部１７に対向して下ハーフ５の上端縁部５Ａに半円形のコード引出し開口半体部１８を切り欠き形成する。ケース体３は、上ハーフ４の下端縁部４Ａと下ハーフ５の上端縁部５Ａを突き合わせて組み合わすことにより、コード引出し開口半体部１７とコード引出し開口半体部１８とが共同して外周部に開口する円形のコード引出し開口部１９を構成する。
【００２３】
ＡＣアダプタ２は、上述したコード引出し開口部１９と、このコード引出し開口部１９に組み付ける詳細を後述するコード保持部材２０によりコード保持構造１を構成し、ＤＣコードユニット１４のコード１５を保持してケース体３の内部から外部へと引き出すようにする。コード保持部材２０は、やや弾性を有する合成樹脂材により、全体がコード引出し開口部１９の内径とほぼ等しい外径を有する略円筒形を呈して一体に形成された部材からなる。コード保持部材２０には、図３及び図４に示すようにＤＣコードユニット１４のコード１５をややきつい状態で嵌挿させる内径を有するコード引出し孔２１が軸方向に貫通して内部に形成される。
【００２４】
コード保持部材２０には、外周部から突出してそれぞれやや厚みのある円板状の第１取付フランジ部２２と第２取付フランジ部２３が一体に形成されている。コード保持部材２０は、これら第１取付フランジ部２２と第２取付フランジ部２３がコード引出し開口部１９の内径よりも大径とされるとともに、ケース体３の厚みとほぼ等しい対向間隔を以って形成される。コード保持部材２０は、後述するようにケース体３に対して第１取付フランジ部２２をケース体３の内側に位置させるとともに第２取付フランジ部２３を外側に位置させてコード引出し開口部１９に組み付ける。コード保持部材２０は、第１取付フランジ部２２と第２取付フランジ部２３が図３に示すようにケース体３を挟み込んでコード引出し開口部１９に組み付けられる。コード保持部材２０は、第１取付フランジ部２２から突出する部位がコード保持筒部２４を構成し、第２取付フランジ部２３から突出する部位がコードガイド筒部２５を構成する。
【００２５】
コード保持部材２０には、図４に示すように、その一方開口部２１Ａをコード保持筒部２４の先端面２４Ａに開口させるとともに他方開口部２１Ｂをコードガイド筒部２５の先端面に開口させて内部を貫通するコード引出し孔２１が形成される。コード保持部材２０には、同図に示すように、コード引出し孔２１を挟んで一対のコード保持孔２６Ａ、２６Ｂがコード保持筒部２４を貫通して形成される。
【００２６】
各コード保持孔２６Ａ、２６Ｂは、ＤＣコードユニット１４のコード１５に対して被覆を破断することにより分離した各個別コード１５Ａ、１５Ｂをややきつい状態で嵌挿させ
る内径を有して形成される。各コード保持孔２６Ａ、２６Ｂは、互いに平行で、コード引出し孔２１を挟んだ両側に位置しかつこのコード引出し孔２１と直交する方向の外周部に貫通するコード保持筒部２４に形成された貫通孔により構成される。
【００２７】
コード保持部材２０は、コードガイド筒部２５が、先端側に向かって次第に細径となる円錐筒状に形成されるとともに外周部に複数の補強リブ２７が一体に形成される。コードガイド筒部２５は、円錐筒状に形成されることにより、ケース体３の部位において機械的強度が大きく先端側に向かうにしたがって可撓性を有してコード１５が自由に撓むように保持する。
【００２８】
ＡＣアダプタ２においては、上ハーフ４と下ハーフ５を組み合わせて構成するケース体３にコード保持部材２０を組み付けてコード保持構造１を構成し、コード保持部材２０に保持したコード１５をケース体３の内部から外部へと引き出す。ＡＣアダプタ２においては、図２及び図３に示すように、一端側に電源コネクタ１６を取り付けたコード１５が、コード保持部材２０に対してコードガイド筒部２５側からコード引出し孔２１に嵌挿される。ＡＣアダプタ２においては、コード１５が、コード保持筒部２４の先端面２４Ａから引き出されて先端側において被覆を破断されることにより個別コード１５Ａ、１５Ｂに分離される。
【００２９】
ＡＣアダプタ２においては、分離された個別コード１５Ａ、１５Ｂが、コード保持孔２６Ａ、２６Ｂに嵌挿されてコード引出し孔２１と直交する方向にコード保持筒部２４を貫通される。ＡＣアダプタ２においては、個別コード１５Ａ、１５Ｂが、詳細を省略するがそれぞれの先端部において芯線を剥き出す処理が施こされて、各芯線を回路ユニット６と接続する。ＡＣアダプタ２においては、このようにしてコード１５が、コード保持部材２０に形成したコード引出し孔２１とコード保持孔２６Ａ、２６Ｂに嵌挿されることによりコード保持筒部２４において略十字状の経路を以って導かれることになる。
【００３０】
ＡＣアダプタ２においては、コード１５を保持したコード保持部材２０が、そのコードガイド筒部２５を外側にしてケース体３に組み付けられる。ＡＣアダプタ２においては、コード保持部材２０が、例えば下ハーフ５のコード引出し開口半体部１８に対してその開口縁を第１取付フランジ部２２と第２取付フランジ部２３とで挟み込むようにして組み付けられる。ＡＣアダプタ２においては、上ハーフ４が下ハーフ５に対して、コード引出し開口半体部１７をコード引出し開口半体部１８に対向させて相対する下端縁部４Ａと上端縁部５Ａを全域に亘って突き合わせるように組み合わせてケース体３を構成する。
【００３１】
ＡＣアダプタ２においては、上ハーフ４のコード引出し開口半体部１７と下ハーフ５のコード引出し開口半体部１８が共同してケース体３に円形のコード引出し開口部１９を構成し、このコード引出し開口部１９にコード保持部材２０を組み付ける。ＡＣアダプタ２においては、コード保持部材２０がケース体３に対してそのコード引出し開口部１９に組み付けられた状態で、コードガイド筒部２５を外部に突出させるとともにコード保持筒部２４を内部に突出させてコード１５を内部から外部へと引き出すようにする。
【００３２】
ＡＣアダプタ２においては、コード１５が、上述したようにケース体３の内部においてコード保持部材２０のコードガイド筒部２５により略十字状の経路を以って導かれる。したがって、ＡＣアダプタ２においては、コード１５に作用される外部からの引張り力に対して、引張り力と直交するコード保持孔２６内を嵌挿された個別コード１５Ａ、１５Ｂがストッパとして作用し、引張り力が回路ユニット６の接続部に作用されないようにする。ＡＣアダプタ２においては、コード１５の芯線と回路ユニット６の端子パターンとの半田付け部位で断線等の発生が確実に防止される。
【００３３】
ＡＣアダプタ２においては、コード１５を組み付けた状態でコード保持部材２０をケース体３に組み付けるようにしたが、かかる組立工程に限定されないことは勿論である。ＡＣアダプタ２においては、コード保持部材２０をケース体３に組み付けた状態で、コード１５をコード保持孔２６に嵌挿するとともに外周部に引き回してコード引出し孔２１に嵌挿させるようにしてもよい。
【００３４】
上述した実施の形態においては、コード保持筒部２４にコード引出し孔２１を挟んで被覆を破断して分離した個別コード１５Ａ、１５Ｂをそれぞれ嵌挿する一対のコード保持孔２６Ａ、２６Ｂをコード保持部材２０に形成したが、コード１５を嵌挿する１つのコード保持孔を形成してもよいことは勿論である。また、上述した実施の形態においては、ＡＣアダプタ２に適用したコード保持構造１を示したが、各種の電子機器に適用可能である。
【図面の簡単な説明】
【００３５】
【図１】本考案の実施の形態として示すコード保持構造を備えたＡＣアダプタの全体構成を説明する図である。
【図２】同コード保持構造の構成を示す要部分解斜視図である。
【図３】同コード保持構造の構成を示す要部断面図である。
【図４】コード保持部材を示し、同図（Ａ）は正面図、同図（Ｂ）は断面図である。
【図５】従来のコード保持構造の構成を示す要部断面図である。
【符号の説明】
【００３６】
１        コード保持構造
２        ＡＣアダプタ
３        ケース体
４        上ハーフ
５        下ハーフ
６        回路ユニット
７        インレット組付開口部
８        ＡＣインレット
９        ジャック
１０      電源コードユニット
１１      出力プラグ
１２      入力プラグ
１３      商用電源コンセント
１４      ＤＣコードユニット
１５      コード
１６      電源コネクタ
１７      コード引出し開口半体部
１８      コード引出し開口半体部
１９      コード引出し開口部
２０      コード保持部材
２１      コード引出し孔
２２      第１取付フランジ部
２３      第２取付フランジ部
２４      コード保持筒部
２５      コードガイド筒部
２６      コード保持孔
２７      補強リブ
【図１】
0003127825.tif 000003
【図２】
0003127825.tif 000004
【図３】
0003127825.tif 000005
【図４】
0003127825.tif 000006
【図５】
0003127825.tif 000007